(57)【要約】【課題】カードホルダーが容器に取り付けられた状態で、そのカードホルダーに物が当たったとしても、物が引っ掛かり難いカードホルダーを提供する。【解決手段】本発明に係るカードホルダー１００には、板体を屈曲させて形成したカード押え部を備えたカードホルダー本体１１０と、当該カードホルダー本体１１０を取付対象のコンテナ２００に取り付けたときに、当該カードホルダー本体１１０の右側及び左側端部１１０ａ，１１０ｂと当該コンテナ２００の側壁２１０との間に生ずる隙間を塞ぐように当該カードホルダー本体１１０の右側及び左側端部１１０ａ，１１０ｂのそれぞれから延出された右側及び左側引っ掛かり防止部１２０ａ，１２０ｂとが設けられている。【選択図】  図１
2019196188.tif 000002
【特許請求の範囲】
【請求項１】
各種情報が記載されたカードを保持するカードホルダーであって、
板体を屈曲させて形成したカード押え部を備えたカードホルダー本体と、
前記カードホルダー本体を取付対象の容器に取り付けたときに、当該カードホルダー本体の両側端部と当該容器の壁面との間に生ずる隙間を塞ぐように当該カードホルダー本体の両側端部のそれぞれから延出された引っ掛かり防止部と、
を有することを特徴とするカードホルダー。
【請求項２】
前記カードホルダー本体は、底板部と、当該底板部の前側端部から垂直に立設された垂直壁部とをさらに備え、
前記カード押え部は、前記垂直壁部から前記容器の壁面に向かって屈曲して延出されていることを特徴とする請求項１に記載のカードホルダー。
【請求項３】
前記引っ掛かり防止部のそれぞれは、前記垂直壁部の対応する側端部から前記容器の壁面に向かって傾斜する第１傾斜面を備えることを特徴とする請求項２に記載のカードホルダー。
【請求項４】
前記第１傾斜面は、面板又は複数のリブによって形成されることを特徴とする請求項３に記載のカードホルダー。
【請求項５】
前記引っ掛かり防止部のそれぞれは、前記カード押え部の対応する側端部から、前記第１傾斜面の対応する上側端部に向かって傾斜する第２傾斜面を備えることを特徴とする請求項３又は４に記載のカードホルダー。
【請求項６】
前記第２傾斜面は、面板又は複数のリブによって形成されることを特徴とする請求項５に記載のカードホルダー。
【発明の詳細な説明】
【技術分野】
【０００１】
本発明は、各種情報の記載されたカードを保持するカードホルダーに関するものである。
【背景技術】
【０００２】
従来より、各種情報の記載されたカードを保持するカードホルダーに関する技術が種々提案されている。
【０００３】
例えば、下記特許文献１に記載されたカードホルダー付き容器（コンテナ）に取り付けられたカードホルダーは、カード押え部をく字状に屈曲させることにより、コンテナの側面に当該カードホルダーを取り付けた際に、コンテナの側面と当該カードホルダーのカード押え部との間にカードを狭持して保持するようにしている。
【先行技術文献】
【特許文献】
【０００４】
【特許文献１】実開平２−５９１３８号公報
【発明の概要】
【発明が解決しようとする課題】
【０００５】
ところで、上記従来のカードホルダーは、上述のように、く字状に屈曲して形成されているので、当該カードホルダーをコンテナの側面に取り付けた場合には、カードホルダーの両側端部とコンテナの側面との間には隙間が生ずる。
【０００６】
このため、上記従来のカードホルダーがコンテナの側面に取り付けられた状態で、当該カードホルダーの横方向から物が当たると、その物が当該カードホルダーの側端部に引っ掛かり易い。例えば、コンテナが隣接している状態で、一方のコンテナを引き摺って移動させる場合、そのコンテナが他方のコンテナのカードホルダーに引っ掛かってしまう。特に、高さの異なるコンテナを併用しているときには、カードホルダーに他のコンテナが引っ掛かる頻度が高くなる。
【０００７】
さらに、折り畳み式のコンテナにカードホルダーを取り付けた場合、折り畳み式のコンテナは、折り畳んだときの高さが低くなるように側板の厚さを薄くする必要があるため、カードホルダーの外面がコンテナの外面と同じ高さに達することがある。このときには、カードホルダーに物が引っ掛かる頻度は、さらに増加する。
【０００８】
そして、実際に物が引っ掛かると、カードホルダーがコンテナから外れたり、破損したりする。
【０００９】
そこで、本発明は、以上のようなことに対処するため、カードホルダーが容器に取り付けられた状態で、そのカードホルダーに物が当たったとしても、物が引っ掛かり難いカードホルダーを提供することを目的とする。
【課題を解決するための手段】
【００１０】
この課題を解決するためになされた請求項１に係る発明は、各種情報が記載されたカードを保持するカードホルダーであって、板体を屈曲させて形成したカード押え部を備えたカードホルダー本体と、カードホルダー本体を取付対象の容器に取り付けたときに、当該カードホルダー本体の両側端部と当該容器の壁面との間に生ずる隙間を塞ぐように当該カードホルダー本体の両側端部のそれぞれから延出された引っ掛かり防止部と、を有することを特徴とする。
【００１１】
請求項２に係る発明は、請求項１に記載のカードホルダーであって、カードホルダー本体は、底板部と、当該底板部の前側端部から垂直に立設された垂直壁部とをさらに備え、カード押え部は、垂直壁部から容器の壁面に向かって屈曲して延出されていることを特徴とする。
【００１２】
請求項３に係る発明は、請求項２に記載のカードホルダーであって、引っ掛かり防止部のそれぞれは、垂直壁部の対応する側端部から容器の壁面に向かって傾斜する第１傾斜面を備えることを特徴とする。
【００１３】
請求項４に係る発明は、請求項３に記載のカードホルダーであって、第１傾斜面は、面板又は複数のリブによって形成されることを特徴とする。
【００１４】
請求項５に係る発明は、請求項３又は４に記載のカードホルダーであって、引っ掛かり防止部のそれぞれは、カード押え部の対応する側端部から、第１傾斜面の対応する上側端部に向かって傾斜する第２傾斜面を備えることを特徴とする。
【００１５】
請求項６に係る発明は、請求項５に記載のカードホルダーであって、第２傾斜面は、面板又は複数のリブによって形成されることを特徴とする。
【発明の効果】
【００１６】
請求項１に記載の発明によれば、各引っ掛かり防止部は、カードホルダー本体を取付対象の容器に取り付けたときに、当該カードホルダー本体の両側端部と当該容器の壁面との間に生ずる隙間を塞ぐように当該カードホルダー本体の両側端部のそれぞれから延出されているので、当該発明のカードホルダーが容器に取り付けられた状態で、外部から物が当たっても、当該カードホルダー本体と容器との間に、その物が引っ掛かる隙間がないので、その物は、当該発明のカードホルダーには引っ掛からない。したがって、物が当たっても、当該発明のカードホルダーが容器から外れたり、破損したりすることを可及的に防止することが可能となる。
【００１７】
請求項２に記載の発明によれば、カード押え部は、垂直壁部から容器の壁面に向かって屈曲して延出されているので、当該カード押え部と容器の壁面との間にカードを狭持して保持することができる。
【００１８】
請求項３に記載の発明によれば、引っ掛かり防止部のそれぞれは、垂直壁部の対応する側端部から容器の壁面に向かって傾斜する第１傾斜面を備えているので、当該発明のカードホルダーに当たった物は、当該発明のカードホルダーに引っ掛かることなく、当該発明のカードホルダー上をスムーズに越えて行く。
【００１９】
請求項４に記載の発明によれば、第１傾斜面は、面板又は複数のリブによって形成されているので、請求項３に記載の発明と同様の効果を得ることができる。
【００２０】
請求項５に記載の発明によれば、引っ掛かり防止部のそれぞれは、カード押え部の対応する側端部から、第１傾斜面の対応する上側端部に向かって傾斜する第２傾斜面を備えているので、当該発明のカードホルダーに当たった物は、当該発明のカードホルダーに引っ掛かることなく、当該発明のカードホルダー上をスムーズに越えて行く。
【００２１】
請求項６に記載の発明によれば、第２傾斜面は、面板又は複数のリブによって形成されているので、請求項５に記載の発明と同様の効果を得ることができる。
【図面の簡単な説明】
【００２２】
【図１】本発明の一実施の形態に係るカードホルダーの全体構成を示す斜視図である。
【図２】図１のカードホルダーの正面図である。
【図３】図１のカードホルダーの平面図である。
【図４】図１のカードホルダーの側面図である。
【図５】図１のカードホルダーの底面図である。
【図６】図２のＡ−Ａ線に沿う断面図である。
【図７】図２のＢ−Ｂ線に沿う断面図である。
【図８】図１のカードホルダーが取り付けられるコンテナの一例を示す斜視図である。
【図９】図８のコンテナに図１のカードホルダーが取り付けられた状態を示す斜視図である。
【図１０】図９のＣ−Ｃ線に沿う断面図である。
【図１１】図１のカードホルダーの一部を変更したカードホルダーの全体構成を示す斜視図である。
【発明を実施するための形態】
【００２３】
以下、本発明の一実施の形態を図面に基づいて詳細に説明する。
【００２４】
図１に示すように、本実施形態のカードホルダー１００は、主として、カードホルダー本体１１０と、右側及び左側引っ掛かり防止部１２０ａ，１２０ｂとによって構成されている。なお、説明の都合上、本実施形態のカードホルダー１００の前後上下左右の各方向は、図１中、対応する矢印で示す方向とする。
【００２５】
カードホルダー本体１１０は、矩形状の底板部１１１（図５参照）と、当該底板部１１１の前側端部１１１ａ（図５参照）から垂直に立設された矩形状の垂直壁部１１２（図１及び図４参照）と、当該垂直壁部１１２の上側端部１１２ａから後方へ傾斜して延出された矩形状の後方傾斜壁部１１３（図１〜図４参照）と、当該後方傾斜壁部１１３の上側端部１１３ｃから前方へ傾斜して延出された矩形状の前方傾斜壁部１１４（図１〜図４参照）とによって構成されている。
【００２６】
したがって、後方及び前方傾斜壁部１１３，１１４は、垂直壁部１１２からく字状に屈曲形成されて（本実施形態のカードホルダー１００を図４と逆方向の側面から見た場合）、カード押え部を構成する。
【００２７】
また、後方及び前方傾斜壁部１１３，１１４、つまりカード押え部には、コ字状の切欠き１１５が形成されている。これは、本実施形態のカードホルダー１００にカード（図示せず）が保持されたときに、そのカード上に記載された各種情報を視認できるようにするためである。
【００２８】
さらに、底板部１１１の裏面には、突起１１１ｂが２個設けられ（図１、図２、図４及び図５参照）、垂直壁部１１２には、矩形状の孔１１２ｂが３個設けられている（図１及び図２参照）。この突起１１１ｂ及び孔１１２ｂは、本実施形態のカードホルダー１００をコンテナ２００（図８参照）に取り付ける際の取り付け部材としての役割を果たしている。なお、具体的な取付方法については、図８〜図１０に基づいて，後述する。
【００２９】
カードホルダー本体１１０の右側及び左側端部１１０ａ，１１０ｂからはそれぞれ、図１及び図２に示すように、上記右側及び左側引っ掛かり防止部１２０ａ，１２０ｂが延出形成されている。
【００３０】
右側引っ掛かり防止部１２０ａは、カードホルダー本体１１０の垂直壁部１１２の右側端部１１２ｃから斜め後方に延出された垂直壁部右側延出部１２１ａ（図１及び図６参照）と、後方傾斜壁部１１３の右側端部１１３ａから上記垂直壁部右側延出部１２１ａの上側端部１２１ａ１に向かって斜め下方に三角形状に延出された後方傾斜壁部右側延出部１２２ａ（図１、図２、図３及び図７参照）とによって構成されている。このように、右側引っ掛かり防止部１２０ａは、カードホルダー本体１１０の右側端部１１０ａに生ずる隙間、つまり、カードホルダー本体１１０をコンテナ２００に取り付けたときに、カードホルダー本体１１０の右側端部１１０ａとコンテナ２００の側壁２１０（図８参照）の外面との間に生ずる隙間を塞ぐように、カードホルダー本体１１０の右側端部１１０ａから延出されている。
【００３１】
同様に、左側引っ掛かり防止部１２０ｂは、垂直壁部１１２の左側端部１１２ｄから斜め後方に延出された垂直壁部左側延出部１２１ｂ（図１及び図６参照）と、後方傾斜壁部１１３の左側端部１１３ｂから上記垂直壁部左側延出部１２１ｂの上側端部１２１ｂ１に向かって斜め下方に三角形状に延出された後方傾斜壁部左側延出部１２２ｂ（図１、図２、図３及び図７参照）とによって構成されている。このように、左側引っ掛かり防止部１２０ｂも、カードホルダー本体１１０の左側端部１１０ｂに生ずる隙間を塞ぐように、カードホルダー本体１１０の左側端部１１０ｂから延出されている。
【００３２】
なお、本実施形態では図６及び図７に示すように、上記垂直壁部右側及び左側延出部１２１ａ，１２１ｂ及び後方傾斜壁部右側及び左側延出部１２２ａ，１２２ｂは、いずれも、平面状の板体によって構成されているが、これに限らず、曲面状の板体によって構成してもよい。
【００３３】
また、本実施形態のカードホルダー１００は、つまり、カードホルダー本体１１０、及び右側及び左側引っ掛かり防止部１２０ａ，１２０ｂ等は、例えば、合成樹脂により一体的に形成されている。
【００３４】
図８は、本実施形態のカードホルダー１００が取り付けられるコンテナの一例を示している。同図に示すコンテナ２００は、上面が開口している直方体状の箱体であり、主として、対向する一対の短手側周壁２１０，２２０と、対向する一対の長手側周壁２３０，２４０と、当該周壁２１０，２２０，２３０，２４０によって囲まれる底壁２５０とによって構成されている。
【００３５】
周壁２１０，２２０，２３０，２４０の外面には、複数のフランジ部が外方に向けて突出形成されている。
【００３６】
例えば、短手側周壁２１０には、当該周壁２１０の下側端部近傍の外面上に、水平方向にフランジ部２１１が突出形成されている。そして、フランジ部２１１の中央部に、孔２１１ａが２個設けられている。この孔２１１ａは、本実施形態のカードホルダー１００に設けられた上記各突起１１１ｂを挿入するためのものである。また、周壁２１０の外面上、上記孔２１１ａが設けられた位置の近傍には、板状の突起２１０ａが３個、外方に向けて突出形成されている。この各突起２１０ａは、本実施形態のカードホルダー１００に設けられた上記各孔１１２ｂに挿入される。
【００３７】
本実施形態のカードホルダー１００をコンテナ２００に取り付ける場合、まず、当該カードホルダー１００を前側に傾斜させながら、その底板部１１１の上記各突起１１１ｂをコンテナ２００のフランジ部２１１の上記各孔２１１ａに挿入する。次に、当該カードホルダー１００を起こして、コンテナ２００の周壁２１０の外面上に当接させる。これにより、周壁２１０の上記各突起２１０ａが当該カードホルダー１００の垂直壁部１１２の上記各孔１１２ｂに挿入されて（図１０参照）、当該カードホルダー１００がコンテナ２００のフランジ部２１１上に固定される（図９参照）。
【００３８】
なお、上記各突起１１１ｂは、図４に示すように、片刃状に形成されている。突起１１１ｂの形状として、このような形状を採用したのは、突起１１１ｂをフランジ部２１１の孔２１１ａに挿入する際に、挿入を容易にするためである。つまり、上述のように、カードホルダー１００を前側に傾斜させながら、その突起１１１ｂをフランジ部２１１の孔２１１ａに挿入する場合、突起１１１ｂが板状であると、その突起１１１ｂが邪魔をして、底板部１１１が、コンテナ２００のフランジ部２１１の表面と突起２１０ａとの間に入り難くなるからである。
【００３９】
このようにして、本実施形態のカードホルダー１００がコンテナ２００に取り付けられると、図１０に示すように、垂直壁部１１２の両側端部とコンテナ２００の周壁２１０の外面との各隙間は、垂直壁部右側及び左側延出部１２１ａ，１２１ｂによって塞がれる。同様にして、後方傾斜壁部１１３の両側端部とコンテナ２００の周壁２１０の外面との各隙間も、図示しないものの、後方傾斜壁部右側及び左側延出部１２２ａ，１２２ｂによって塞がれる。つまり、カードホルダー本体１１０の両側端部とコンテナ２００の周壁２１０の外面との各隙間は、右側及び左側引っ掛かり防止部１２０ａ，１２０ｂによって塞がれる。
【００４０】
そして、図９に示すように、本実施形態のカードホルダー１００がコンテナ２００に取り付けられた状態で、当該カードホルダー１００の横方向、例えば右側から他のコンテナ等の他の物が当たると、その物は、右側引っ掛かり防止部１２０ａ上に乗り上げてから、カードホルダー本体１１０及び左側引っ掛かり防止部１２０ｂを経由して、当該カードホルダー１００を越えて行く。そして、右側及び左側引っ掛かり防止部１２０ａ，１２０ｂはともに、傾斜面によって形成されているため、その物は、当該カードホルダー１００に引っ掛かることなく、当該カードホルダー１００上をスムーズに越えて行く。このため、本実施形態のカードホルダー１００に他の物が当たったとしても、当該カードホルダー１００は、その物によってコンテナ２００から外れたり、破損したりすることがない。
【００４１】
以上のようにして、本実施形態のカードホルダー１００には、板体を屈曲させて形成したカード押え部を備えたカードホルダー本体１１０と、当該カードホルダー本体１１０を取付対象のコンテナ２００に取り付けたときに、当該カードホルダー本体１１０の右側及び左側端部１１０ａ，１１０ｂと当該コンテナ２００の側壁２１０との間に生ずる隙間を塞ぐように当該カードホルダー本体１１０の右側及び左側端部１１０ａ，１１０ｂのそれぞれから延出された右側及び左側引っ掛かり防止部１２０ａ，１２０ｂとが設けられている。
【００４２】
本実施形態のカードホルダー１００によれば、右側及び左側引っ掛かり防止部１２０ａ，１２０ｂは、カードホルダー本体１１０の右側及び左側端部１１０ａ，１１０ｂと取付対象のコンテナ２００の側壁２１０との間に生ずる隙間を塞ぐように、当該カードホルダー本体１１０の右側及び左側端部１１０ａ，１１０ｂのそれぞれから延出されている。このため、本実施形態のカードホルダー１００が、例えばコンテナ２００に取り付けられた状態で、外部から物が当たったとしても、カードホルダー本体１１０とコンテナ２００との間に、その物が引っ掛かる隙間がないので、その物は、本実施形態のカードホルダー１００には引っ掛からない。したがって、物が当たっても、本実施形態のカードホルダー１００がコンテナ２００から外れたり、破損したりすることを可及的に防止できる。
【００４３】
また、カードホルダー本体１１０は、底板部１１１と、当該底板部１１１の前側端部１１１ａから垂直に立設された垂直壁部１１２とをさらに備え、上記カード押え部は、垂直壁部１１２から上記コンテナ２００の側壁２１０に向かって後方に屈曲して延出されている。
【００４４】
このように、カード押え部は、垂直壁部１１２からコンテナ２００の側壁２１０に向かって後方に屈曲して延出されているので、当該カード押え部とコンテナ２００の側壁２１０との間にカードを狭持して保持することができる。
【００４５】
さらに、右側及び左側引っ掛かり防止部１２０ａ，１２０ｂのそれぞれは、上記垂直壁部１１２の右側及び左側端部１１２ｃ，１１２ｄからコンテナ２００の側壁２１０に向かって後方に傾斜する垂直壁部右側及び左側延出部１２１ａ，１２１ｂを備えている。そして、垂直壁部右側及び左側延出部１２１ａ，１２１ｂはともに、面板によって形成されている。
【００４６】
このように、右側及び左側引っ掛かり防止部１２０ａ，１２０ｂはともに、面板からなる傾斜面を備えているので、本実施形態のカードホルダー１００に当たった物は、当該カードホルダー１００に引っ掛かることなく、当該カードホルダー１００上をスムーズに越えて行く。
【００４７】
さらに、右側及び左側引っ掛かり防止部１２０ａ，１２０ｂのそれぞれは、上記カード押え部に含まれる後方傾斜壁部１１３の右側及び左側端部１１３ａ，１１３ｂから、上記垂直壁部右側及び左側延出部１２１ａ，１２１ｂの各上側端部１２１ａ１，１２１ｂ１に向かって傾斜する後方傾斜壁部右側及び左側延出部１２２ａ，１２２ｂを備えている。そして、後方傾斜壁部右側及び左側延出部１２２ａ，１２２ｂはともに、面板によって形成されている。
【００４８】
このように、右側及び左側引っ掛かり防止部１２０ａ，１２０ｂはともに、面板からなる傾斜面を備えているので、本実施形態のカードホルダー１００に当たった物は、当該カードホルダー１００に引っ掛かることなく、当該カードホルダー１００上をスムーズに越えて行く。
【００４９】
ちなみに、垂直壁部右側及び左側延出部１２１ａ，１２１ｂは、「第１傾斜面」の一例である。また、後方傾斜壁部右側及び左側延出部１２２ａ，１２２ｂは、「第２傾斜面」の一例である。さらに、コンテナ２００は、「容器」の一例である。
【００５０】
なお、本発明は上記実施形態に限定されるものでなく、その趣旨を逸脱しない範囲で様々な変更が可能である。
【００５１】
（１）本実施形態では、カードホルダー１００をコンテナ２００に取り付ける場所は、短手側周壁２１０だけであったが、これに限らず、他の周壁２２０，２３０，２４０にも取り付け可能に構成してもよい。このような構成にするには、他の周壁２２０，２３０，２４０にも、周壁２１０と同様の３個の突起２１０ａと２個の孔２１１ａを設けるだけでよい。これにより、カードホルダー１００は、４つの周壁２１０，２２０，２３０，２４０のいずれにも取り付けることができるので、取り付け位置の自由度が増加し、便利である。さらに、長手側周壁２３０，２４０には、１箇所だけでなく複数箇所にカードホルダー１００を取り付けることができるようにしてもよい。これにより、取り付け位置の自由度はさらに増加する。
【００５２】
（２）本実施形態では、右側及び左側引っ掛かり防止部１２０ａ，１２０ｂは、平面状又は曲面状の板体、つまり面板によって斜面を形成するようにしたが、これに限らず、図１１に示す右側及び左側引っ掛かり防止部１５０ａ，１５０ｂのように、複数の三角形状のリブ１５１ａ，１５１ｂによって斜面を形成するようにしてもよい。つまり、各リブ１５１ａ，１５１ｂは、その上に仮想的に屋根を架設した場合に、当該屋根面が上記右側及び左側引っ掛かり防止部１２０ａ，１２０ｂの斜面を形成するような骨組み（住宅に例えると、垂木）に相当する。
【符号の説明】
【００５３】
１００  カードホルダー
１１０  カードホルダー本体
１１１  底板部
１１２  垂直壁部
１１３  後方傾斜壁部
１１４  前方傾斜壁部
１２０ａ  右側引っ掛かり防止部
１２０ｂ  左側引っ掛かり防止部
１２１ａ  垂直壁部右側延出部
１２１ｂ  垂直壁部左側延出部
１２２ａ  後方傾斜壁部右側延出部
１２２ｂ  後方傾斜壁部左側延出部
【図１】
2019196188.tif 000003
【図２】
2019196188.tif 000004
【図３】
2019196188.tif 000005
【図４】
2019196188.tif 000006
【図５】
2019196188.tif 000007
【図６】
2019196188.tif 000008
【図７】
2019196188.tif 000009
【図８】
2019196188.tif 000010
【図９】
2019196188.tif 000011
【図１０】
2019196188.tif 000012
【図１１】
2019196188.tif 000013